【手続補正書】
【提出日】令和2年1月10日(2020.1.10)
【手続補正１】
【補正対象書類名】特許請求の範囲
【補正対象項目名】全文
【補正方法】変更
【補正の内容】
【特許請求の範囲】
【請求項１】
無線通信システムにおいてＵＥ（user equipment）が上りリンク制御信号を伝送するための方法であって、
ＰＵＣＣＨ（physical uplink control channel）の伝送のための周波数ホッピングの有無に関する設定情報を基地局から受信するステップと、
前記ＰＵＣＣＨのシンボルの長さ及び前記周波数ホッピングの前記有無にしたがって、前記ＰＵＣＣＨに含まれるＤＭ−ＲＳ（demodulation reference signal）及びＵＣＩ（uplink control information）のリソース位置を決定するステップと、
前記ＤＭ−ＲＳ及びＵＣＩの前記決定されたリソース位置に基づいて、前記ＰＵＣＣＨを伝送するステップと、を含み、
前記ＰＵＣＣＨの前記シンボルの長さがＸ個のシンボルの長さ（但し、Ｘは自然数）以下であるとき、前記ＤＭ−ＲＳ及びＵＣＩがマッピングされる前記リソース位置は、前記周波数ホッピングの前記有無にしたがって変化するように設定され、
前記ＰＵＣＣＨの前記シンボルの長さがＸ個のシンボルの長さ（但し、Ｘは自然数）を超えるとき、前記ＤＭ−ＲＳ及びＵＣＩがマッピングされる前記リソース位置は、前記周波数ホッピングの前記有無に関係なく固定されるように設定される、方法。
【請求項２】
Ｘは、４である、請求項１に記載の方法。
【請求項３】
前記ＰＵＣＣＨの前記シンボルの長さが４個のシンボルの長さであるとき、前記ＤＭ−ＲＳがマッピングされる前記シンボルの数は、前記周波数ホッピングの前記有無にしたがって変化する、請求項２に記載の方法。
【請求項４】
前記ＰＵＣＣＨの前記シンボルの長さが４個のシンボルの長さであるとき、
前記周波数ホッピングが設定されるとき、前記ＰＵＣＣＨ内の前記ＤＭ−ＲＳの前記リソース位置は、１番目及び３番目のシンボルとして決定され、
前記周波数ホッピングが設定されないとき、前記ＰＵＣＣＨ内の前記ＤＭ−ＲＳの前記リソース位置は、２番目のシンボルとして決定される、請求項３に記載の方法。
【請求項５】
前記ＰＵＣＣＨの前記シンボルの長さが４個のシンボルの長さを超えるとき、前記ＰＵＣＣＨ内の前記ＤＭ−ＲＳは、前記周波数ホッピングの前記有無に関係なく２個のシンボルにマッピングされる、請求項２に記載の方法。
【請求項６】
前記ＰＵＣＣＨの前記シンボルの長さが５個のシンボルの長さであるとき、前記ＰＵＣＣＨ内の前記ＤＭ−ＲＳの前記リソース位置は、前記周波数ホッピングの前記有無に関係なく１番目及び４番目のシンボルとして決定される、請求項２に記載の方法。
【請求項７】
前記ＰＵＣＣＨの前記シンボルの長さが６個のシンボル又は７個のシンボルの長さであるとき、前記ＰＵＣＣＨ内の前記ＤＭ−ＲＳの前記リソース位置は、前記周波数ホッピングの前記有無に関係なく２番目及び５番目のシンボルとして決定される、請求項２に記載の方法。
【請求項８】
前記ＰＵＣＣＨの前記シンボルの長さが８個のシンボルの長さであるとき、前記ＰＵＣＣＨ内の前記ＤＭ−ＲＳの前記リソース位置は、前記周波数ホッピングの前記有無に関係なく２番目及び６番目のシンボルとして決定される、請求項２に記載の方法。
【請求項９】
前記ＰＵＣＣＨの前記シンボルの長さが９個のシンボルの長さであるとき、前記ＰＵＣＣＨ内の前記ＤＭ−ＲＳの前記リソース位置は、前記周波数ホッピングの前記有無に関係なく２番目及び７番目のシンボルとして決定される、請求項２に記載の方法。
【請求項１０】
前記ＰＵＣＣＨの前記シンボルの長さが１０個のシンボルの長さであるとき、
前記ＰＵＣＣＨ内の前記ＤＭ−ＲＳの前記リソース位置は、前記周波数ホッピングの前記有無に関係なく３番目及び８番目のシンボルとして決定される、又は、
前記ＰＵＣＣＨ内の前記ＤＭ−ＲＳの前記リソース位置は、前記周波数ホッピングの前記有無に関係なく２番目、４番目、７番目及び９番目のシンボルとして決定される、請求項２に記載の方法。
【請求項１１】
前記ＰＵＣＣＨの前記シンボルの長さが１１個のシンボルの長さであるとき、
前記ＰＵＣＣＨ内の前記ＤＭ−ＲＳの前記リソース位置は、前記周波数ホッピングの前記有無に関係なく３番目及び８番目のシンボルとして決定される、又は、
前記ＰＵＣＣＨ内の前記ＤＭ−ＲＳの前記リソース位置は、前記周波数ホッピングの前記有無に関係なく２番目、３番目、４番目、７番目及び１０番目のシンボルとして決定される、請求項２に記載の方法。
【請求項１２】
前記ＰＵＣＣＨの前記シンボルの長さが１２個のシンボルの長さであるとき、
前記ＰＵＣＣＨ内の前記ＤＭ−ＲＳの前記リソース位置は、前記周波数ホッピングの前記有無に関係なく３番目及び９番目のシンボルとして決定される、又は、
前記ＰＵＣＣＨ内の前記ＤＭ−ＲＳの前記リソース位置は、前記周波数ホッピングの前記有無に関係なく２番目、５番目、８番目及び１１番目のシンボルとして決定される、請求項２に記載の方法。
【請求項１３】
前記ＰＵＣＣＨの前記シンボルの長さが１３個のシンボルの長さであるとき、
前記ＰＵＣＣＨ内の前記ＤＭ−ＲＳの前記リソース位置は、前記周波数ホッピングの前記有無に関係なく３番目及び１０番目のシンボルとして決定される、又は、
前記ＰＵＣＣＨ内の前記ＤＭ−ＲＳの前記リソース位置は、前記周波数ホッピングの前記有無に関係なく２番目、５番目、８番目及び１２番目のシンボルとして決定される、請求項２に記載の方法。
【請求項１４】
前記ＰＵＣＣＨの前記シンボルの長さが１４個のシンボルの長さであるとき、
前記ＰＵＣＣＨ内の前記ＤＭ−ＲＳの前記リソース位置は、前記周波数ホッピングの前記有無に関係なく４番目及び１１番目のシンボルとして決定される、又は、
前記ＰＵＣＣＨ内の前記ＤＭ−ＲＳの前記リソース位置は、前記周波数ホッピングの前記有無に関係なく２番目、６番目、９番目及び１３番目のシンボルとして決定される、請求項２に記載の方法。
【請求項１５】
無線通信システムにおいてＢＳ（base station）が上りリンク制御信号を受信するための方法であって、
ＰＵＣＣＨ（physical uplink control channel）の伝送のための周波数ホッピングの有無に関する設定情報をＵＥ（user equipment）に伝送するステップと、
前記ＰＵＣＣＨのシンボルの長さ及び前記周波数ホッピングの前記有無にしたがって、ＤＭ−ＲＳ（demodulation reference signal）及びＵＣＩ（uplink control information）を含む前記ＰＵＣＣＨを前記ＵＥから受信するステップと、を含み、
前記ＰＵＣＣＨの前記シンボルの長さがＸ個のシンボルの長さ（但し、Ｘは自然数）以下であるとき、前記ＤＭ−ＲＳ及びＵＣＩがマッピングされるリソース位置は、前記周波数ホッピングの前記有無にしたがって変化するように設定され、
前記ＰＵＣＣＨの前記シンボルの長さがＸ個のシンボルの長さ（但し、Ｘは自然数）を超えるとき、前記ＤＭ−ＲＳ及びＵＣＩがマッピングされる前記リソース位置は、前記周波数ホッピングの前記有無に関係なく固定されるように設定される、方法。
【請求項１６】
無線通信システムにおいてＰＵＣＣＨ（physical uplink control channel）をＢＳ（base station）に伝送するためのＵＥ（user equipment）であって、
送信部と、
受信部と、
前記送信部及び受信部に接続されたプロセッサと、を含み、
前記プロセッサは、
前記ＰＵＣＣＨの伝送のための周波数ホッピングの有無に関する設定情報を前記ＢＳから受信し、
前記ＰＵＣＣＨのシンボルの長さ及び前記周波数ホッピングの前記有無にしたがって、前記ＰＵＣＣＨに含まれるＤＭ−ＲＳ（demodulation reference signal）及びＵＣＩ（uplink control information）のリソース位置を決定し、
前記ＤＭ−ＲＳ及びＵＣＩの前記決定されたリソース位置に基づいて前記ＰＵＣＣＨを伝送するように構成され、
前記ＰＵＣＣＨの前記シンボルの長さがＸ個のシンボルの長さ（但し、Ｘは自然数）以下であるとき、前記ＤＭ−ＲＳ及びＵＣＩがマッピングされる前記リソース位置は、前記周波数ホッピングの前記有無にしたがって変化するように設定され、
前記ＰＵＣＣＨの前記シンボルの長さがＸ個のシンボルの長さ（但し、Ｘは自然数）を超えるとき、前記ＤＭ−ＲＳ及びＵＣＩがマッピングされる前記リソース位置は、前記周波数ホッピングの前記有無に関係なく固定されるように設定される、ＵＥ。
【請求項１７】
無線通信システムにおいてＰＵＣＣＨ（physical uplink control channel）をＵＥ（user equipment）から受信するためのＢＳ（base station）であって、
送信部と、
受信部と、
前記送信部及び受信部に接続されたプロセッサと、を含み、
前記プロセッサは、
ＰＵＣＣＨの伝送のための周波数ホッピングの有無に関する設定情報を前記ＵＥに伝送し、
前記ＰＵＣＣＨのシンボルの長さ及び周波数ホッピングの有無にしたがって、ＤＭ−ＲＳ（demodulation reference signal）及びＵＣＩ（uplink control information）を含む前記ＰＵＣＣＨを前記ＵＥから受信するように構成され、
前記ＰＵＣＣＨの前記シンボルの長さがＸ個のシンボルの長さ（但し、Ｘは自然数）以下であるとき、前記ＤＭ−ＲＳ及びＵＣＩがマッピングされるリソース位置は、前記周波数ホッピングの前記有無にしたがって変化するように設定され、
前記ＰＵＣＣＨの前記シンボルの長さがＸ個のシンボルの長さ（但し、Ｘは自然数）を超えるとき、前記ＤＭ−ＲＳ及びＵＣＩがマッピングされる前記リソース位置は、前記周波数ホッピングの前記有無に関係なく固定されるように設定される、ＢＳ。